(57)【要約】【課題】強風が吹いた場合には衣服などの物品が洗濯バサミから外れて飛ばされてしまうことがあり、使用上不便で使用上不便であると共に、衣服などが盗難の被害にあうこともあった。【解決手段】中央上部に溝状のレールが形成された外体と、前記外体の上面に挿通される操作桿と、前記操作桿の下方に連結軸によって回動可能な状態に上方を連結される上部狭持アームと、前記上部狭持アームの下方に連結軸によって回動可能な状態に上方を連結されると共に下方を前記外体に連結する下部狭持アームからなり、前記溝状のレールには前記連結軸の端部が突出すると共に前記操作桿が上下に擦動可能に設けるように構成することによって、強固に狭持を行い、強風が吹いた場合には衣服などの物品が洗濯バサミから外れて飛ばされてしまうことを防止して使用上の不便を解消すると共に、衣服などの盗難を防止することを可能とする。【選択図】図１
2006006868.tif 000002
【特許請求の範囲】
【請求項１】
中央上部に溝状のレールが形成された外体と、前記外体の上面に挿通される操作桿と、前記操作桿の下方に連結軸によって回動可能な状態に上方を連結される上部狭持アームと、前記上部狭持アームの下方に連結軸によって回動可能な状態に上方を連結されると共に下方を前記外体に連結する下部狭持アームからなり、前記溝状のレールには前記連結軸の端部が突出すると共に前記操作桿が上下に擦動可能に設けられている洗濯バサミ。
【請求項２】
前記操作桿の上下動を制限するロック機構を前記外体の上面に設けたことを特徴とする請求項１に記載の洗濯バサミ。
【発明の詳細な説明】
【技術分野】
【０００１】本発明は、衣服及び布団などを天日干しのために吊り下げるために使用する洗濯バサミに関するものである。
【背景技術】
【０００２】従来より、衣服及び布団などを干して乾燥させるために、種々の洗濯バサミが使用されてきた。例えば、一対の狭持部材に対してバネの収縮を利用して衣服などの物品を狭持させるものが使用されている。このような構造の洗濯バサミは、バネの収縮によって衣服などの物品の狭持を行うため、その衣服などの物品が狭持される力は弱く、強風が吹いた場合には衣服などの物品が洗濯バサミから外れて飛ばされてしまうことがあり、使用上不便であると共に、衣服などが盗難の被害にあうこともあった。
【発明が解決しようとする課題】
【０００３】本発明の洗濯バサミは、強風が吹いた場合においても衣服などの物品が洗濯バサミから外れて飛ばされてしまうこと防止して使用上の不便を解消すると共に、衣服などの盗難を防止することを目的とする。
【課題を解決するための手段】
【０００４】  本発明は、上記の従来の課題を解決するものであり、中央上部に溝状のレールが形成された外体と、前記外体の上面に挿通される操作桿と、前記操作桿の下方に連結軸によって回動可能な状態に上方を連結される上部狭持アームと、前記上部狭持アームの下方に連結軸によって回動可能な状態に上方を連結されると共に下方を前記外体に連結する下部狭持アームからなり、前記溝状のレールには前記連結軸の端部が突出すると共に前記操作桿が上下に擦動可能に設けられている洗濯バサミである。
【０００５】本発明の洗濯バサミは、操作桿に連結している上部狭持アームと、前記上部狭持アームの下方にて下部狭持アームの上方とが連結されているので、操作上は外体の上面に挿通される操作桿を上方に引き出すことによって、前記下部狭持アームの下方に対向するように形成された膨出部が接近して衣服などの物品を狭持することが可能である。狭持を解除する場合には、前記の操作桿を下方に押し下げることによって、前記操作桿に連結されている上部狭持アームと、前記上部狭持アームと連結されている下部狭持アームの膨出部による狭持は解除される。
【０００６】また、前記操作桿の上下動を制限するロック機構を前記外体の上面に設けることが可能である。このような構成とした場合、狭持されている衣服などの物品が強風或いは人の手に引っ張られるような場合には衣服などの物品は移動しようとするが、上部狭持アームを介して下部狭持アームと操作桿が連動するように構成されおり、操作桿はロックされているために下部狭持アームは開放されず、強固に狭持を行うことを可能とする。
【実施例】
【０００７】以下、添付の図面を参照して、本願発明の幾つかの好適な実施例を説明する。【０００８】図１は本発明の実施例の狭持状態を表す正面図であり、図２は本発明の実施例の開放状態を表す正面図であり、図３は本発明の実施例の側面断面図である。本実施例は、中央上部に溝状のレール１１が形成された外体１と、前記外体１の上面に挿通される操作桿２と、前記操作桿２の下方に連結軸５によって回動可能な状態に上方を連結される上部狭持アーム３と、前記上部狭持アーム３の下方に連結軸６によって回動可能な状態に上方を連結されると共に下方を前記外体に連結する下部狭持アーム４からなり、前記溝状のレール１１には前記連結軸５の端部が突出すると共に前記操作桿２が上下に擦動可能に設けられ、前記操作桿の上下動を制限するロック機構を前記外体の上面に設けられている。【０００９】本実施例において、外体１の正面視では略Ｕ字型の形状の上下逆に配置したものであり、前記外体１の中央上部に上下方向に延びる溝状のレール１１が形成されている。外体１の上面には操作桿２が挿通される挿通口１２が形成され、外体１の下半分は表面板１３と背面板１４のみから形成されて側方は開放されている。【００１０】本実施例の操作桿２は、外体１の上面に形成された挿通口１２より差し込まれ、操作桿２の下方は上部狭持アーム３の上方と連結軸５によって連結されている。連結軸５の端部は外体１に形成された溝状のレール１１より突出するように形成されており、操作桿２は上下に擦動させることが可能である。また、操作桿２の上方には操作桿２の上下動の操作を容易に行うために、把持用のリング９を設置している。【００１１】本実施例の上部狭持アーム３は、外体１の内部に配置され、上方を前記操作桿２の下方と連結され、下方を下部狭持アームと連結されている。【００１２】本実施例の下部狭持アーム４は、上方が直線的に形成され、下方には膨出部４１が形成されている。外体１の内部に配置され、上方を前記上部狭持アーム４の下方と連結され、下方を略Ｕ字型に形成された外体１のＵ字状端部に連結されており、下部狭持アーム４は外体１のＵ字状端部を中心として回動可能に形成されている。【００１３】本実施例においては、操作桿２を上下に擦動させて、前記操作桿２の上下方向の擦動と上部狭持アーム３及び下部教示アーム４が連動して下部教示アーム４の下方に設けた対向する膨出部４１が互いに接近して衣服９を狭持する。狭持された状態の衣服９を引っ張ると下方へ力が加えられるが、下部狭持アーム４に形成された膨出部４１は連結軸６を中心として回動する構造であり、下方向への回動はより強固に狭持させることが可能である。【００１４】また、前記操作桿２は、下方に移動しようとする場合にはより強固に狭持が行われるが、上方への移動しようとする場合には瞬間的に膨出部４１への圧力が減少してしまい、狭持状態が解除されてしまう可能性があるが、前記操作桿２の上下動を制限するロック機構８を前記外体１の上面に設けて狭持状態を維持するために固定を行い、これによって操作桿２が使用者の意図せずに移動して、意図せずに狭持状態が解除されてしまうことを防止することが可能である。尚、本実施例においては、操作桿２の使用者が意図しない上方への移動を制限できれば良く、下方への移動については、狭持状態の強化になるために寧ろ制限されずに助長される方が望ましい。【００１５】本実施例の洗濯バサミは、操作桿２を上方へ擦動させることによって狭持状態から開放することが可能である。前記操作桿２は下方において連結軸５によって上部狭持アーム３と連結されており、前記上部狭持アーム３の下方は連結軸６によって下部狭持アーム４の上方と連結されており、前記下部狭持アーム４の下方は連結軸７によって外体１のＵ字状端部に連結されているため、操作桿２と上部狭持アーム３と下部狭持アーム４は連動し、狭持状態時には下方に位置している操作桿２を上方へ引き上げることで開放状態とする。
【発明の効果】
【００１６】本発明は、上記の如く構成したことにより、衣服や布団などの物品を強固に狭持することが可能であって、強風が吹いた場合においても衣服や布団などの物品の狭持が外れて、物品が飛ばされてしまうこと防止して使用上の不便を解消すると共に、衣服などの盗難を防止することを可能とする。
【図面の簡単な説明】
【００１７】
【図１】本発明の実施例の狭持状態を表す一部切欠き正面図
【図２】本発明の実施例の開放状態を表す一部切欠き正面図
【図３】本発明の実施例の一部切欠き側面図
【図４】本発明の実施例の上面図
【符号の説明】
【００１８】  １  外体
２  操作桿
３  上部狭持アーム
４  下部狭持アーム
５  連結軸
６  連結軸
７  連結軸
８  ロック機構
９  リング
１１  レール
１２  挿通口
１３  表面板
１４  背面板
４１  膨出部
【図１】
2006006868.tif 000003
【図２】
2006006868.tif 000004
【図３】
2006006868.tif 000005
【図４】
2006006868.tif 000006